(57)【要約】      （修正有）【課題】ＰＴＰシートに封入された内容物を陳列に適した安全な状態に包装することが可能な陳列用包装体を提供する。【解決手段】ＰＴＰシートを表台紙１１と裏台紙１３との間に挟着固定して包装することで、陳列に供することが可能な構成であって、裏台紙は表台紙の縁端部の一辺に折曲線１２を介して連接され、且つＰＴＰシートの内容物取出面を被覆する大きさを有し、表台紙の裏側より該表台紙の孔部にＰＴＰシートの突出部を嵌入し、裏台紙を折曲線から折り曲げて内容物取出面を被覆した状態で裏台紙を固定することでＰＴＰシートを挟着固定して包装する構成であり、ＰＴＰシートが内容物の種類にかかわらず特定のサイズに統一されると共に、該特定のサイズに統一されたＰＴＰシートを包装する表台紙及び裏台紙を特定のサイズに統一することで、一種類の陳列用包装体で異なる種類の内容物の包装を可能に構成する。【選択図】図１
0003149958.tif 000002
【実用新案登録請求の範囲】
【請求項１】
カプセル型・錠剤型・粒型の薬剤類・菓子類・食品類の如き内容物を封入した突出部を有するＰＴＰシートを、内容物に関する情報が記載されていると共に前記ＰＴＰシートの突出部を嵌入させる孔部が形成された表台紙と前記情報が記載された裏台紙との間に挟着固定して包装することで、陳列に供することが可能な構成の陳列用包装体であって、
前記裏台紙は前記表台紙の縁端部の一辺に折曲線を介して連接され、且つ前記ＰＴＰシートの内容物取出面を被覆する大きさを有し、
前記表台紙の裏側より前記孔部に前記ＰＴＰシートの突出部を嵌入し、前記裏台紙を前記折曲線から折り曲げて前記ＰＴＰシートの内容物取出面を被覆した状態で該裏台紙を固定することで前記ＰＴＰシートを挟着固定して包装する構成であり、
前記ＰＴＰシートが内容物の種類にかかわらず特定のサイズ（シート幅、シート長、突出部の幅・長さ・数、各突出部の間隔）に統一されると共に、該特定のサイズに統一されたＰＴＰシートを包装する前記表台紙及び裏台紙を特定のサイズ（表台紙の孔部の大きさ、各孔部の間隔、裏台紙の大きさ）に統一することで、一種類の陳列用包装体で異なる種類の内容物の包装を可能とした構成であることを特徴とする陳列用包装体。
【請求項２】
表台紙の裏台紙が連接された一辺と対向する一辺には折曲線を介して裏台紙固定用台紙が連接されており、前記裏台紙が該裏台紙固定用台紙に固定される構成であることを特徴とする請求項１に記載の陳列用包装体。
【請求項３】
裏台紙の裏台紙固定用台紙への固定が、裏台紙の先端の少なくとも一部及び／又は裏台紙の少なくとも一部が裏台紙固定用台紙の下側及び／又は裏台紙固定用台紙に形成された孔部や切込部に差し込まれることで固定される構成であることを特徴とする請求項２に記載の陳列用包装体。
【請求項４】
裏台紙の固定が、貼着・溶着・接着・融着の如き固着手段で固定される構成であることを特徴とする請求項１〜３のいずれかに記載の陳列用包装体。
【請求項５】
表台紙の裏台紙が連接された一辺の両端に繋がる二辺には折曲線を介して側方台紙が連接され、且つ前記ＰＴＰシートの両側方を被覆する構成であることを特徴とする請求項１〜４のいずれかに記載の陳列用包装体。
【請求項６】
前記台紙に、陳列用フックに引掛掛止可能な透孔が形成されていることを特徴とする請求項１〜５のいずれかに記載の陳列用包装体。
【考案の詳細な説明】
【技術分野】
【０００１】
本考案は陳列用包装体に関し、詳しくはＰＴＰシートを台紙間に挟着固定して包装した状態で陳列に供することができる陳列用包装体に関する。
【背景技術】
【０００２】
ＰＴＰシートの包装体としては、ＰＴＰシートを表台紙と裏台紙との間に挟着して固着することで前記ＰＴＰシートを両台紙間に封止する構成のものが知られている（例えば、特許文献１及び２等参照）。
【先行技術文献】
【特許文献】
【０００３】
【特許文献１】特開２００７−３３０４０１号
【特許文献２】特許第３１７２６７９号
【考案の概要】
【考案が解決しようとする課題】
【０００４】
特許文献１及び２に代表される従来のＰＴＰシートの包装体は、ＰＴＰシートの突出部に封入された内容物が薬剤である場合には、表台紙（及び裏台紙）に該薬剤の服用に関する注意事項等（例えば、服用１日目・２日目・３日目・・・、朝・昼・夜等の服用時間の表記）が記載されており、服用時に適切な任意の薬剤が封入された突出部を押圧することによってＰＴＰシート裏面のアルミ箔で形成された内容物取出面を破断させることで裏台紙に形成された透孔側から当該薬剤を取り出すことができる構成となっている。
【０００５】
かかる構成から、従来のＰＴＰシートの包装体は主として家庭等で用いられることが想定されており、店舗の売り場等で陳列に供するためのＰＴＰシートの包装体として用いることは不適切である。即ち、陳列用の包装体として用いた場合、包装体の裏台紙に形成された透孔内にＰＴＰシート裏面の内容物取出面が露出してしまい、この内容物取出面はアルミ箔等の薄膜体で形成されていることから破断し易いため、この部分が露出した包装体構成で売り場等に陳列することは内容物を守ると云う包装体としての機能を充分に発揮することは困難である。
【０００６】
尚、上記構成の従来のＰＴＰシートの包装体を、外箱や外袋によって更に包装することで陳列用の包装体として用いることも考えられるが、ＰＴＰシート自体も包装体であることからＰＴＰシート・台紙による包装体・外箱又は外袋による包装体の構成では三重包装の過剰包装となってしまうため、省資源化・ゴミ減量化・環境適正等の点から簡易包装が求められる昨今の環境情勢からすると極めて好ましくないという問題点を有している。
【０００７】
そこで本考案の課題は、ＰＴＰシートに封入された内容物を陳列に適した安全な状態に包装することが可能な陳列用包装体を提供することにある。
【課題を解決するための手段】
【０００８】
上記課題を解決する本考案は下記構成を有する。
【０００９】
１．カプセル型・錠剤型・粒型の薬剤類・菓子類・食品類の如き内容物を封入した突出部を有するＰＴＰシートを、内容物に関する情報が記載されていると共に前記ＰＴＰシートの突出部を嵌入させる孔部が形成された表台紙と前記情報が記載された裏台紙との間に挟着固定して包装することで、陳列に供することが可能な構成の陳列用包装体であって、
前記裏台紙は前記表台紙の縁端部の一辺に折曲線を介して連接され、且つ前記ＰＴＰシートの内容物取出面を被覆する大きさを有し、
前記表台紙の裏側より前記孔部に前記ＰＴＰシートの突出部を嵌入し、前記裏台紙を前記折曲線から折り曲げて前記ＰＴＰシートの内容物取出面を被覆した状態で該裏台紙を固定することで前記ＰＴＰシートを挟着固定して包装する構成であり、
前記ＰＴＰシートが内容物の種類にかかわらず特定のサイズ（シート幅、シート長、突出部の幅・長さ・数、各突出部の間隔）に統一されると共に、該特定のサイズに統一されたＰＴＰシートを包装する前記表台紙及び裏台紙を特定のサイズ（表台紙の孔部の大きさ、各孔部の間隔、裏台紙の大きさ）に統一することで、一種類の陳列用包装体で異なる種類の内容物の包装を可能とした構成であることを特徴とする陳列用包装体。
【００１０】
２．表台紙の裏台紙が連接された一辺と対向する一辺には折曲線を介して裏台紙固定用台紙が連接されており、前記裏台紙が該裏台紙固定用台紙に固定される構成であることを特徴とする上記１に記載の陳列用包装体。
【００１１】
３．裏台紙の裏台紙固定用台紙への固定が、裏台紙の先端の少なくとも一部及び／又は裏台紙の少なくとも一部が裏台紙固定用台紙の下側及び／又は裏台紙固定用台紙に形成された孔部や切込部に差し込まれることで固定される構成であることを特徴とする上記２に記載の陳列用包装体。
【００１２】
４．裏台紙の固定が、貼着・溶着・接着・融着の如き固着手段で固定される構成であることを特徴とする上記１〜３のいずれかに記載の陳列用包装体。
【００１３】
５．表台紙の裏台紙が連接された一辺の両端に繋がる二辺には折曲線を介して側方台紙が連接され、且つ前記ＰＴＰシートの両側方を被覆する構成であることを特徴とする上記１〜４のいずれかに記載の陳列用包装体。
【００１４】
６．前記台紙に、陳列用フックに引掛掛止可能な透孔が形成されていることを特徴とする上記１〜５のいずれかに記載の陳列用包装体。
【考案の効果】
【００１５】
請求項１に示す考案によれば、ＰＴＰシートに封入された内容物を陳列に適した安全な状態に包装することが可能な陳列用包装体を提供することができる。
【００１６】
特に、ＰＴＰシート裏面の内容物取出面を裏台紙が被覆した状態で包装する構成により、破断し易いアルミ箔等の薄膜体から成る内容物取出面を非露出状態で包装するので陳列時に内容物が損傷したり包装体から脱落してしまうことを防止することができる。
【００１７】
更に、外箱や外袋による更なる包装体を用いることなく陳列に供することができるので、過剰包装となることがない。
【００１８】
また、ＰＴＰシートを特定のサイズに統一し、表台紙及び裏台紙を特定のサイズに統一する構成、即ち、ＰＴＰシートと包装体（表台紙及び裏台紙）を共に規格化する構成により、内容物の種類が変わっても規格化されたＰＴＰシートに封入されていれば、一種類の陳列用包装体で異なる種類の内容物の包装体とすることができるので、内容物に応じて台紙に記載する内容物情報を変更するだけで様々な種類の内容物の包装体として用いることができ、ＰＴＰシートの包装体としてコストダウンを著しく図ることができる。
【００１９】
請求項２に示す考案によれば、裏台紙の固定を確実に行うことができる。
【００２０】
請求項３に示す考案によれば、裏台紙を裏台紙固定用台紙に差し込むことで該裏台紙を極めて容易に固定することができる。
【００２１】
請求項４に示す考案によれば、裏台紙の固定をより確実に行うことができる。
【００２２】
請求項５に示す考案によれば、ＰＴＰシートの側方を非露出状態に包装することができる。
【００２３】
請求項６に示す考案によれば、陳列用フックに引掛けて吊下げる形式の陳列に適した包装態様とすることができる。
【図面の簡単な説明】
【００２４】
【図１】本考案に係る陳列用包装体の一実施例を示す展開図
【図２】図１に示す陳列用包装体によるＰＴＰシートの包装過程（第１段階）を示す斜視図
【図３】図２に示す包装過程の次段階を示す斜視図
【図４】図３に示す包装過程の次段階を示す斜視図
【図５】図２〜図４に示す包装過程の最終段階を示す斜視図
【図６】図５に示すＰＴＰシートを包装した状態の陳列用包装体の表側を示す斜視図
【考案を実施するための形態】
【００２５】
次に、添付の図面に従って本考案を詳細に説明する。
【００２６】
図１は本考案に係る陳列用包装体の一実施例を示す展開図、図２は図１に示す陳列用包装体によるＰＴＰシートの包装過程（第１段階）を示す斜視図、図３は図２に示す包装過程の次段階を示す斜視図、図４は図３に示す包装過程の次段階を示す斜視図、図５は図２〜図４に示す包装過程の最終段階を示す斜視図、図６は図５に示すＰＴＰシートを包装した状態の陳列用包装体の表側を示す斜視図である。
【００２７】
本考案に係る陳列用包装体１は、図１の展開図に示すように、ＰＴＰシート２の突出部２１（ＰＴＰシート２及び突出部２１については図２参照。）を嵌入させる孔部１１Ａが形成された表台紙１１と、該表台紙の縁端部の一辺に折曲線１２を介して連接されると共にＰＴＰシート２の内容物取出面２２を被覆する大きさを有する裏台紙１３と、前記折曲線１２と対向する表台紙１１の縁端部の一辺に折曲線１４を介して連接される裏台紙固定用台紙１５と、前記表台紙１１の裏台紙１３が連接された一辺（前記折曲線１２が形成された一辺）の両端に繋がる二辺には折曲線１６・１６を介して連接される側方台紙１７・１７と、陳列する売り場等の陳列用フック（図示は省略）に引掛掛止可能な透孔１８（１８Ａ・１８Ｂ)と、表台紙１１・裏台紙１３・裏台紙固定用台紙１５に印刷等により記載された商品名・品質表示・成分表示・使用方法・使用上の注意・販売者名・製造者名・価格・キャッチコピー等の如き内容物に関する情報１９と、を主構成とするものである。
【００２８】
本考案の陳列用包装体１によって陳列可能な状態に包装されるＰＴＰシート２とは、ＰＴＰ（Ｐｒｅｓｓ  Ｔｈｒｏｕｇｈ  Ｐａｃｋａｇｅ）包装を云い、プラスチックシートに熱成形して作った突出部２１に内容物３を入れて、該突出部２１の開口部をアルミ箔等の比較的破れ易い材料で被覆して周辺部を接着またはシール等で固定することで内容物３を封入状態で包装するものである。ＰＴＰ包装の特徴は、高い防湿性、各種バリヤー性、気密性、内容物の取り出し易さ、見易さ（ディスプレー効果）、携帯性、識別性などである。ＰＴＰ包装の材料としては、上面（突出部成形側）にＰＶＣ、ＰＰ、Ａ−ＰＥＴ等、下面（内容物取出面側）にアルミニウム箔が使用されている。
【００２９】
ＰＴＰシート２にＰＴＰ包装される内容物３としては、カプセル型・錠剤型・粒型等の薬剤類が最も代表的であるが、タブレット形状や球状の菓子類（チョコレート、ラムネ等）や健康食品類等も挙げることができる。
【００３０】
ＰＴＰシート２の突出部２１内に封入された内容物３を取り出すには、突出部２１を指で押し、該突出部２１の開口部を被覆するアルミ箔部分である内容物取出面２２（ＰＴＰシート２の内容物取出面２２の形成位置については図３及び図４参照）を破断させることで前記突出部２１の開口部を開口することで可能となる。
【００３１】
本考案は、上記構成を有するＰＴＰシート２を特定のサイズ（シート幅、シート長、突出部の幅・長さ・数、各突出部の間隔）に統一すると共に、特定のサイズに統一したＰＴＰシート２を包装する表台紙１１及び裏台紙１３とから成る陳列用包装体１についても前記ＰＴＰシート２と同様に特定のサイズ（表台紙１１の孔部１１Ａの大きさ、各孔部１１Ａの間隔、裏台紙１３の大きさ）に統一することで、特定のサイズに統一した一種類で異なる種類の内容物３の包装を可能としたものである。
【００３２】
次に、図１の展開図に示す陳列用包装体１によってＰＴＰシート２を包装する過程について図２〜図６に基き以下説明する。尚、図２〜図５は陳列用包装体１の裏側が現れた状態として説明する。
【００３３】
先ず、図１に示す展開状態の陳列用包装体１の折曲線１４で折曲げることで裏台紙固定用台紙１５を裏側方向に折り返し、該裏台紙固定用台紙の裏面の一部を接着剤等の固着手段により表台紙１１の裏面に固着して図２の状態とする。
【００３４】
次に、図３に示すよう、ＰＴＰシート２を突出部２１が表台紙１１に形成された孔部１１Ａに嵌入するように表台紙１１の裏面に載置する。このときＰＴＰシート２は、表台紙１１の表側からは突出部１１Ａが突出状態に露出した状態となっており、裏側からは該ＰＴＰシート２の裏面（内容物取出面２２がある面）のみが表台紙１１の裏面上に見える状態となっている。
【００３５】
次に、折曲線１６・１６を折り曲げることで側方台紙１７・１７を裏側方向に折り返し、図４に示すようにＰＴＰシート２の裏面の両側方部分を被覆させた状態とする。このとき該側方台紙１７・１７と裏台紙固定用台紙１５とが重なり合う部分については、図４に示すように、側方台紙１７・１７の一部が裏台紙固定用台紙１５の下側（裏台紙固定用台紙１５の裏面と表台紙１１の裏面との間の位置）に入り込むように該側方台紙１７・１７を折り返すことが好ましい。
【００３６】
次に、折曲線１２を折り曲げることで裏台紙１３を裏側方向に折り返し、更に、該裏台紙１３の先端部分が裏台紙固定用台紙１５の下側（裏台紙固定用台紙１５の裏面と表台紙１１の裏面との間の位置）に入り込むように差し込むことで図５の状態となる。尚、裏台紙１３と側方台紙１７・１７とが重なり合う部分については、側方台紙１７・１７の表面と裏台紙固定用台紙１５の裏面との間に裏台紙１３の当該部分が位置することになる。
【００３７】
以上の包装過程を経ることによってＰＴＰシート２を表台紙１１と裏台紙１３との間に挟着固定して包装すること、即ち、ＰＴＰシート２を陳列に適した状態である、表側は図６に示すようにＰＴＰシート２の突出部２１が突出状態で露出して該突出部２１内に封入された内容物を視認できる状態で、且つ裏側は図５に示すようにＰＴＰシート２の内容物取出面２２が被覆された状態で包装することができる。尚、図５に示すように、裏台紙１３の固定をより確実にするためにシール部材４等の固着手段を更に付加することが好ましい。尚また、シール部材４等の固着手段を用いる場合、裏台紙１３を差し込み固定することなく単にシール部材４等の固着手段のみで固定することも本考案に包含することができる。
【００３８】
図５及び図６に示すように、ＰＴＰシート２を包装した陳列用包装体１は、表台紙１１と裏台紙固定用台紙１５とに貫通状態で形成された透孔１８を売り場等の陳列場所に備えられた陳列用フックに引掛掛止することで陳列に供することができる。尚、透孔１８にフックを取付けて、このフックを陳列場所に設けられた孔部に引掛掛止することで陳列に供するようにすることもできる。
【００３９】
以上、本考案に係る陳列用包装体１について実施例に基き説明したが、本考案は上記した実施例に限定されず、本考案の範囲内において他の態様を採ることができる。
【００４０】
例えば、上記実施例では、裏台紙１３の先端部分を裏台紙固定用台紙１５の下側に差し込むことで固定しているが、本考案はこの構成に限定されず、裏台紙固定用台紙１５に孔部や切込部を形成し、この孔部や切込部に裏台紙１３を差し込むことで固定することもできる。また、固定する裏台紙１３の部分は先端部分でもよいし、先端或いは先端部分以外に一体的に又は別体を付加することで形成した突起部や舌状部を差し込むようにすることもできる。
【００４１】
また、裏台紙固定用台紙１５は省略することもできる。省略した場合、裏台紙１３は表台紙１１の裏面等の部位に固定されることになる。この場合、裏台紙１３を表台紙１１に貼着・溶着・接着・融着の如き固着手段で固定してもよいし、表台紙１１と裏台紙１３のいずれか一方の一部に孔部や切込部を形成して、該孔部や切込部に他方の先端部分や他方の一部に一体的に又は別体を付加することで形成した突起部や舌状部を差し込むようにすることで固定することもできる。
【００４２】
更に、表台紙１１に連接して形成された側方台紙１７を省略することもできる。省略した場合、側方台紙１７の無い構成としてもよいし、裏台紙１３側に側方台紙を連接して形成してもよい。
【符号の説明】
【００４３】
１  陳列用包装体
１１  表台紙
１１Ａ  孔部
１２  折曲線
１３  裏台紙
１４  折曲線
１５  裏台紙固定用台紙
１６  折曲線
１７  側方台紙
１８  透孔
１９  内容物に関する情報
２  ＰＴＰシート
２１  突出部
２２  内容物取出面
３  内容物
４  シール部材
【図１】
0003149958.tif 000003
【図２】
0003149958.tif 000004
【図３】
0003149958.tif 000005
【図４】
0003149958.tif 000006
【図５】
0003149958.tif 000007
【図６】
0003149958.tif 000008